(57)【特許請求の範囲】
【請求項１】
前方に集塵室および前記集塵室を覆い回動自在な集塵室蓋を配置するとともに電気送風機を内蔵した掃除機本体において、前記掃除機本体の上方部に握り部が前後方向に配置された把手を設け、前記把手の前方端部が軸支されるとともに、前記把手の後方端部に上下動する可動部を形成し、前記可動部に、掃除機本体の下部受部で保持される係止部を設け、前記把手の握り部の後方部のみが、集塵室蓋の前記把手に近接する部分が回動する回動軌跡外に位置する構成として、前記把手が上方に持ち上げられ、前記把手の係止部が掃除機本体の下部受部で保持された状態で、前記集塵室蓋を上方に回動させていくと、前記集塵室蓋が前記把手の握り部の後方部に当たり始め、さらに前記集塵室蓋を回動させていくと、前記把手の可動部に設けた係止部が掃除機本体の下部受部の保持を解除されて、前記下部受部から外れ、前記集塵室蓋の回動と連動して前記把手が下降する構成とした電気掃除機。
【発明の詳細な説明】
【０００１】
【発明の属する技術分野】
本発明は、掃除機本体に持ち運び用の把手を設けた電気掃除機に関するものである。
【０００２】
【従来の技術】
この種の従来の電気掃除機は、以下に示す構成が一般的であり、その構成について図４を用いて説明する。電気掃除機の掃除機本体３１の前方に集塵室蓋３２にて開閉自在に構成した集塵室３３を設け、その後方に電動送風機３４を設けた電動送風機室３５を形成している。この電動送風機室３５の上方に握り部３６が掃除機本体３１の前後方向となる把手３７を設けている。この把手３７は握り部３６が上下に可動するための可動部３８を前方に設け、後方には回動軸３９を設けている。この把手３７の握り部３６は握りやすくする為に掃除機本体３１の上面との間に隙間４０を設け、握り部３６は掃除機本体３１の上面外郭より突出して設けてある。この握り部３６を握り、所定の角度まで回動させた状態においては把手３７は掃除機本体３１の後方側に後ろ下がりに構成されていた。
【０００３】
【発明が解決しようとする課題】
しかしながら、上記従来の構成において、電気掃除機の掃除機本体３１に取り付けた把手３７の握り部３６を握りやすく構成するために掃除機本体３１の上面に突出させて設けており、特に把手３７を引き上げた状態では、集塵室蓋３２の把手３７に近接する部分が把手３７の可動部３８に当たり、集塵室３３の集塵室蓋３２を開けることができなかった。また、集塵室蓋３２を開けるためには把手３７を下方に下げる動作を必要とするなどの課題や、無理してあけると把手３７や集塵室蓋３２が壊れ易いという課題があった。
【０００４】
本発明は上記従来の課題を解決するものであり、把手部の使用性を向上させた電気掃除機を提供することを目的とする。
【０００５】
【課題を解決するための手段】
上記課題を解決するために本発明は、前方に集塵室および前記集塵室を覆い回動自在な集塵室蓋を配置するとともに電気送風機を内蔵した掃除機本体において、前記掃除機本体の上方部に握り部が前後方向に配置された把手を設け、前記把手の前方端部が軸支されているとともに、前記把手の後方端部に上下動する可動部を形成し、前記可動部に、掃除機本体の下部受部で保持される係止部を設け、前記把手の握り部の後方部のみが、集塵室蓋の前記把手に近接する部分が回動する回動軌跡外に位置する構成として、前記把手が上方に持ち上げられ、前記把手の係止部が掃除機本体の下部受部で保持された状態で、前記集塵室蓋を上方に回動させていくと、前記集塵室蓋が前記把手の握り部の後方部に当たり始め、さらに前記集塵室蓋を回動させていくと、前記把手の可動部に設けた係止部が掃除機本体の下部受部の保持を解除されて、前記下部受部から外れ、前記集塵室蓋の回動と連動して前記把手が下降する構成としたもので、把手の握り部が上方に維持された状態のままでも集塵室の集塵室蓋を開ける動作がスムーズに行えるなど使い易くなるものである。
【０００６】
【発明の実施の形態】
本発明の請求項１記載の発明は、前方に集塵室および前記集塵室を覆い回動自在な集塵室蓋を配置するとともに電気送風機を内蔵した掃除機本体において、前記掃除機本体の上方部に握り部が前後方向に配置された把手を設け、前記把手の前方端部が軸支されるとともに、前記把手の後方端部に上下動する可動部を形成し、前記可動部に、掃除機本体の下部受部で保持される係止部を設け、前記把手の握り部の略後方部のみが、集塵室蓋の前記把手に近接する部分が回動する回動軌跡外に位置する構成として、前記把手が上方に持ち上げられ、前記把手の係止部が掃除機本体の下部受部で保持された状態で、前記集塵室蓋を上方に回動させていくと、前記集塵室蓋が前記把手の握り部の後方部に当たり始め、さらに前記集塵室蓋を回動させていくと、前記把手の可動部に設けた係止部が掃除機本体の下部受部の保持を解除されて、前記下部受部から外れ、前記集塵室蓋の回動と連動して前記把手が下降する構成としたもので、掃除機本体を使用者が持ち運んだ後、把手の握り部が上方に維持された状態でも集塵室蓋を開けることができることに加え、使用者が前記集塵室蓋を開ける動作に伴い、把手の係止が解除され把手が下方に移動するので、把手を掃除機本体に収納する動作を必要とせず、使用性を向上させるものである。
【０００７】
【実施例】
（実施例１）
以下、本発明の第１の実施例について図１、図２を参照して説明する。１は塵埃を集積する集塵室で、上方を開口した本体下部４の前方に配置されており、本体下部４の後方には、コード巻き取り装置（図示せず）と塵埃を吸引するための電動送風機２を並列収納する電動送風機室３を形成している。本体下部４の後方上部を本体上部５で覆い、また、本体下部４の前方上部には軸６ａを回動中心として回動自在な集塵室蓋６を設け、前記集塵室蓋６により集塵室１の上部を開閉自在とし、集塵室１内に溜まった塵埃を廃棄できるようにしている。
【０００８】
そして、本体下部４、本体上部５、集塵室蓋６により電気掃除機の本体の外郭を形成している。７は、電気掃除機の前後方向に沿って握り部８を形成した把手である。前記把手７は後方端部には下方に延びる可動部９を形成し、前方端部には回動軸部１０を形成している。前記可動部９の下部には係止部１１を一体に形成している。１２は把手７を持ち上げた時に、可動部９の係止部１１が掃除機本体から抜け出るのを防止する係止受部であり本体上部５に一体的に形成されている。
【０００９】
１３は上部を係止受部１２で保持された係止部１１の下部を保持する下部受部である。前記下部受部１３により把手７は持ち上げた状態１４を維持できる。この状態で握り部８の前方部は集塵室蓋６が軸６ａを回動中心する回動軌跡１５の回動軌跡内すなわち図１に示す回動軌跡１５の下に位置している。１６は掃除機本体の後部に取り付けた排気通路体であり、前記排気通路体１６と本体上部５および本体下部４の後面との間で電動送風機室３から排出される排気の掃除機本体機外への出口を形成する排気口１７と連通する排気通路１８を形成している。前記排気通路１８内に握り部８の後方端部に設けた可動部９は上下動自在に収納されて、上方へは係止受部１２にて抜け防止をしている。握り部８の前方部に設けた回動軸部１０は本体上部５と上部カバー１９にて回転自在に挟持され、この回動軸部１０を中心として把手７は上下動自在に回動する構成である。
【００１０】
上記構成による作用は以下の通りである。掃除作業中に電気掃除機を持ち運ぶときは、握り部８を引き上げる動作を行うと回動軸１０を中心に握り部８が回動するので、握り部８の後方部は上方に移動し、可動部９の係止部１１が上限近傍まで移動すると、係止部１１の上方端部は係止受部１２、下方端部は下部受部１３に圧接し、その上限近傍で保持された状態となり、その状態で把手７の握り部８から手を離したとしても、握り部８はその状態１４を維持している。
【００１１】
次に握り部８を握るときも握りやすい状態１４を維持しているのでスムーズに握って電気掃除機を持ち運べる。また状態１４で維持されていても集塵室蓋６の回動軌跡１５内に握り部８の前方部が位置しているので、集塵室１の集塵室蓋６は握り部８に当たることもなくスムーズに開閉できる。また掃除作業終了後、握り部８を掃除機本体に収納するときは、握り部８を押さえる作業のみで、可動部９は下部受部１３の係止が解除され排気通路１８内に収納できる。
【００１２】
また、前記握り部８を上方向に回動した状態で集塵室１方向に、前下がりに傾斜した構成とすることで、把手７を上方に可動した状態のままでも集塵室１の集塵室蓋６を開ける動作がスムーズに行えるなど使い易くなる。さらに、握り部８には端部下方に可動部９を形成し、この可動部９を電気掃除機本体内に設けた排気通路１８内に自在に収納できることで、持ち運ぶ必要の無いときは握り部８に設けた可動部９は前記排気通路１８内に収納られるため、掃除機本体の大きさも必要以上に大きくならない。
【００１３】
（実施例２）
次に本発明の第２の実施例について図３を用いて説明する。なお上記実施例と同一構成部品については、同一符号を付して、その説明を省略する。集塵室蓋６は回動軸３１を中心として電気掃除機本体に回動自在に取り付けてある。把手７の握り部８の後方部のみが集塵室蓋６の回動軌跡３２外に位置しているため、握り部８を上に持ち上げた、係止受部１２と下部受部１３とで維持された状態３３で回動軌跡３２と当たるように構成されている。
【００１４】
上記構成において動作、作用は以下の通りである。集塵室１の集塵室蓋６を開けると、開け始めは握り部８の前方部は回動軌跡３２内に位置しているのでスムーズに開けられる。さらに、前記集塵室蓋６を大きく開けていくと前記集塵室蓋６は、前記把手７の上方に
維持されている状態３３の握り部８に当たり始める。さらに前記集塵室蓋６を開けていくと、握り部８の可動部９に設けた係止部１１が下部受部１３の保持を解除され可動部９は排気通路１８内に収納される。
【００１５】
従って、掃除機本体を持ち運んだ後、把手７の握り部８が上方に維持された状態３３でも集塵室１の蓋体６を開けることができることに加え、開ける動作に伴い把手７の係止が解除され、把手７が下方に移動するので、把手７を本体に収容する動作を必要とせず使用性を向上できる。
【００１６】
【発明の効果】
以上のように、本発明の請求項１記載の発明によれば、掃除機本体を使用者が持ち運んだ後、把手の握り部が上方に維持された状態でも集塵室蓋を開けることができることに加え、使用者が前記集塵室蓋を開ける動作に伴い、把手の係止が解除され把手が下方に移動するので、把手を掃除機本体に収納する動作を必要とせず、使用性を向上させるものである。
【図面の簡単な説明】
【図１】  本発明の第１の実施例を示す電気掃除機の要部断面図
【図２】  同電気掃除機の他の要部断面図
【図３】  本発明の第２の実施例を示す電気掃除機の要部断面図
【図４】  従来の電気掃除機を示す要部断面図
【符号の説明】
１  集塵室
２  電動送風機
３  電動送風機室
４  本体下部
５  本体上部
６  集塵室蓋
７  把手
８  握り部
９  可動部
１０  回動軸
１１  係止部
１２  係止受部
１３  下部受部
【図１】
0004378827.tif 000002
【図２】
0004378827.tif 000003
【図３】
0004378827.tif 000004
【図４】
0004378827.tif 000005